(57)【要約】【課題】消火器を簡単に取り付けることができ、消火器を簡単に運搬することができること。【解決手段】一対の係止フック１１は、ホース基部Ｈおよび操作レバーＬに係止可能に設けられている。アーム１２は、一対の係止フック１１の間に一対の係止フック１１のから延出するように形成された延出形成部分を有し、一対の係止フック１１の各々を連結する。支持部２２は、アーム２１の延出形成部分に取り付けられ、アーム２１を吊支持する。消火剤ボトルＢの他端部を鉛直下方に向け、一対の係止フック１１の各々がホース基部Ｈおよび操作レバーＬの各々に係止された状態である支持状態で、アーム２１の延出形成部分は、ロックピンＰおよび操作レバーＬ、ＭＬのいずれよりも鉛直上方に張り出すように形成されるとともに、支持部２２は、ロックピンＰおよび操作レバーＬ、ＭＬの双方よりも鉛直上方の位置に配置されている。【選択図】      図１
2014233455.tif 000002
【特許請求の範囲】
【請求項１】
消火剤ボトルの一端部から延出するように設けられたホース基部と、前記ホース基部の延出方向と略反対方向に沿って前記消火剤ボトルの一端部に設けられたロックピン付き操作レバーとを有する消火器を運搬するための消火器運搬具であって、
前記ホース基部および前記操作レバーの各々に係止可能に設けられた一対の係止フックと、
前記一対の係止フックの間に前記一対の係止フックの各々から延出するように形成された延出形成部分を有し、前記一対の係止フックの各々を連結するアームと、
前記アームの延出形成部分に取り付けられ、前記アームを吊支持する支持部とを備え、
前記消火剤ボトルの他端部を鉛直下方に向けるとともに、前記一対の係止フックの各々が前記ホース基部および前記操作レバーの各々に係止された状態である支持状態で、
前記アームの前記延出形成部分は、前記ロックピンおよび操作レバーのいずれよりも鉛直上方に張り出すように形成されるとともに、
前記支持部は、前記ロックピンおよび前記操作レバーの双方よりも鉛直上方の位置に配置される消火器運搬具。
【請求項２】
前記ロックピン付き操作レバーは、
前記消火剤ボトルの中心軸から離れるに従って前記消火剤ボトルの中心軸方向で互いに離れて延在するように設けられた２本の挟持レバーと、
前記２本の挟持レバーの間に閂形成され、前記２本の挟持レバーのうちで前記消火ボトルの端部からより遠くに離れた挟持レバー側から前記消火剤ボトルの端部側へ向けて、前記２本の挟持レバーの双方に差し込まれるロックピンと、
前記ロックピンのうち、前記消火ボトルの端部からより遠くに離れた挟持レバー側の端部にピン孔を有したピン操作部を有し、
前記支持状態で、
前記アームの前記延出形成部分は、鉛直方向に対して略垂直方向において、前記ロックピンの閂形成部分および前記ピン操作部の前記ピン孔のいずれよりも外側方に張り出すように形成された請求項１に記載の消火器運搬具。
【請求項３】
前記２本の係止フックのうち、前記操作レバーを係止する係止フックは、前記支持状態で、前記操作レバーと当接する部分であるフック部から鉛直上方方向へ伸長する返し片を有し、
前記返し片の伸長部分は、鉛直方向に対して略垂直方向から視た際に、前記支持状態で、前記２本の挟持レバーのうちで前記消火ボトルの端部からより遠くに離れた挟持レバーと重なる高さまで伸長するように形成された請求項１または２に記載の消火器運搬具。
【請求項４】
前記支持状態で、
前記消火剤ボトルの一端部に設けられ、前記消火剤ボトル内に消火剤を封入するための蓋が設けられたボトル首部は、鉛直方向に対して略垂直方向において、前記２本の係止フックよりも内側に配置されるとともに、
前記支持部は、鉛直方向に対して略垂直方向において、前記ボトル首部よりも内側に配置された請求項１〜３のいずれか１項に記載の消火器運搬具。
【請求項５】
前記２本の係止フックの双方は、前記支持状態で、前記操作レバーまたは前記ホース基部と当接する部分であるフック部から鉛直上方方向へ伸長する返し片をそれぞれ有し、
前記返し片の伸長先である先端部間の長さは、鉛直方向に対して略垂直方向において、ボトル首部の径よりも大きい請求項１〜４のいずれか１項に記載の消火器運搬具。
【請求項６】
前記返し片の伸長先の先端部に設けられた止め具を備えた請求項３〜５のいずれか１項に記載の消火器運搬具。
【請求項７】
支持部の略中央部に環状に設けられた取り付け環部を備えた請求項１〜６のいずれか１項に記載の消火器運搬具。
【請求項８】
前記アームのうち係止フックに連結される両端部側は、互いに略平行に配置された請求項１〜７のいずれか１項に記載の消火器運搬具。
【発明の詳細な説明】
【技術分野】
【０００１】
本発明は、消火器運搬具に関し、例えば、消火剤ボトルの一端部から延出するように設けられたホース基部と、ホース基部の延出方向と略反対方向に沿って消火剤ボトルの一端部に設けられたロックピン付き操作レバーとを有する消火器を運搬するための消火器運搬具に関する。
【背景技術】
【０００２】
特許文献１には、消火器を搭載することができる消火器用台車が、開示されている。この消火器用台車では、２本の消火器を底板上に搭載し、消火器固定用ベルトで２本の消火器を背板に固定することで、当該台車を移動させた際に消火器が倒れないようにしていた。
【先行技術文献】
【特許文献】
【０００３】
【特許文献１】実用新案登録第３１６２６９５号公報
【発明の概要】
【発明が解決しようとする課題】
【０００４】
しかしながら、特許文献１に記載の技術では、消火器固定用ベルトで消火器を背板に固定する作業に手間がかかるという問題があった。また、消火器用台車を移動させるのに車輪等のキャスターを採用しているため、階段などの段差を簡単に乗り越えることができないという問題もあった。
【０００５】
本発明は、このような事情を鑑みてなされたものであり、消火器を簡単に取り付けることができ、消火器を簡単に運搬することができる消火器運搬具を提供する。
【課題を解決するための手段】
【０００６】
本発明の消火器運搬具は、消火剤ボトルの一端部から延出するように設けられたホース基部と、前記ホース基部の延出方向と略反対方向に沿って前記消火剤ボトルの一端部に設けられたロックピン付き操作レバーとを有する消火器を運搬するための消火器運搬具であって、前記ホース基部および前記操作レバーの各々に係止可能に設けられた一対の係止フックと、前記一対の係止フックの間に前記一対の係止フックの各々から延出するように形成された延出形成部分を有し、前記一対の係止フックの各々を連結するアームと、前記アームの延出形成部分に取り付けられ、前記アームを吊支持する支持部とを備え、前記消火剤ボトルの他端部を鉛直下方に向けるとともに、前記一対の係止フックの各々が前記ホース基部および前記操作レバーの各々に係止された状態である支持状態で、前記アームの前記延出形成部分は、前記ロックピンおよび操作レバーのいずれよりも鉛直上方に張り出すように形成されるとともに、前記支持部は、前記ロックピンおよび前記操作レバーの双方よりも鉛直上方の位置に配置される。
【０００７】
また、本発明の消火器運搬具において、前記ロックピン付き操作レバーは、前記消火剤ボトルの中心軸から離れるに従って前記消火剤ボトルの中心軸方向で互いに離れて延在するように設けられた２本の挟持レバーと、前記２本の挟持レバーの間に閂形成され、前記２本の挟持レバーのうちで前記消火ボトルの端部からより遠くに離れた挟持レバー側から前記消火剤ボトルの端部側へ向けて、前記２本の挟持レバーの双方に差し込まれるロックピンと、前記ロックピンのうち、前記消火ボトルの端部からより遠くに離れた挟持レバー側の端部にピン孔を有したピン操作部を有し、前記支持状態で、前記アームの前記延出形成部分は、鉛直方向に対して略垂直方向において、前記ロックピンの閂形成部分および前記ピン操作部の前記ピン孔のいずれよりも外側方に張り出すように形成されている。
【０００８】
本発明の消火器運搬具において、前記２本の係止フックのうち、前記操作レバーを係止する係止フックは、前記支持状態で、前記操作レバーと当接する部分であるフック部から鉛直上方方向へ伸長する返し片を有し、前記返し片の伸長部分は、鉛直方向に対して略垂直方向から視た際に、前記支持状態で、前記２本の挟持レバーのうちで前記消火ボトルの端部からより遠くに離れた挟持レバーと重なる高さまで伸長するように形成されている。
【０００９】
本発明の消火器運搬具において、前記支持状態で、前記消火剤ボトルの一端部に設けられ、前記消火剤ボトル内に消火剤を封入するための蓋が設けられたボトル首部は、鉛直方向に対して略垂直方向において、前記２本の係止フックよりも内側に配置されるとともに、前記支持部は、鉛直方向に対して略垂直方向において、前記ボトル首部よりも内側に配置されている。
【００１０】
本発明の消火器運搬具において、前記２本の係止フックの双方は、前記支持状態で、前記操作レバーまたは前記ホース基部と当接する部分であるフック部から鉛直上方方向へ伸長する返し片をそれぞれ有し、前記返し片の伸長先である先端部間の長さは、鉛直方向に対して略垂直方向において、ボトル首部の径よりも大きい。
【００１１】
本発明の消火器運搬具は、前記返し片の伸長先の先端部に設けられた止め具を備えている。
【００１２】
本発明の消火器運搬具は、支持部の略中央部に環状に設けられた取り付け環部を備えている。
【００１３】
本発明の消火器運搬具において、前記アームのうち係止フックに連結される両端部側は、互いに略平行に配置されている。
【発明の効果】
【００１４】
本発明にかかる消火器運搬具によれば、消火器を簡単に取り付けることができ、消火器を簡単に運搬することができる。
【図面の簡単な説明】
【００１５】
【図１】本発明の第１の実施の形態における消火器運搬具を複数用いた使用例を示す図である。
【図２】本発明の第１の実施の形態における消火器運搬具を用いて消火器を運搬している状態を示す正面図である。
【図３】本発明の第１の実施の形態における消火器運搬具を用いて消火器を運搬している状態を示す側面図である。
【図４】本発明の第１の実施の形態における消火器運搬具を用いて消火器を運搬している状態を示す上面図である。
【図５】本発明の第２の実施の形態における消火器運搬具の正面図である。
【図６】本発明の第３の実施の形態における消火器運搬具の正面図である。
【発明を実施するための形態】
【００１６】
＜第１の実施の形態＞
本発明の第１の実施の形態における消火器運搬具の構成を図に基づいて説明する。図１は、本発明の第１の実施の形態における消火器運搬具を複数用いた使用例を示す図である。図２は、本発明の第１の実施の形態における消火器運搬具を用いて消火器を運搬している状態を示す正面図である。図３は、本発明の第１の実施の形態における消火器運搬具を用いて消火器を運搬している状態を示す側面図である。図４は、本発明の第１の実施の形態における消火器運搬具を用いて消火器を運搬している状態を示す上面図である。なお、説明の便宜上、図２および図３には、鉛直方向Ｇを示す。
【００１７】
図１に示されるように、本発明の第１の実施の形態における消火器運搬具は、ショルダーベルト４に、連結部３を介して、連結されている。ショルダーベルト４は、例えば革材や綿材などで環状に形成されている。また、図１に示されるように、ショルダーベルト４には、肩当て４２が設けられている。この肩当て４２は、ショルダーベルト４に沿って移動することができるように、ショルダーベルト４に取り付けられている。肩当て４２が肩の位置に配置されるように、ショルダーベルト４を肩にかけて使用される。
【００１８】
図１に示されるように、連結部３は、本発明の消火器運搬具とショルダーベルト４とを連結する。連結部３は、第１の連結環３１と、第２の連結環３２と、第３の連結環３３と、第４の連結環３４とを有している。
【００１９】
図１に示されるように、第１の連結環３１は、後で詳細に説明する本発明の消火器運搬具の取り付け環部２３に連結されるとともに、第２の連結環３２に連結される。第２の連結環３２は、第１の連結環３１に連結されるとともに、第３の連結環３３に連結される。第３の連結環３３は、複数の第２の連結環３２に連結されるとともに、第４の連結環３４に連結される。ここでは、第３の連結環３３は、３個の第２の連結環３２に連結された例を示す。なお、第３の連結環３３は、３個以下の第２の連結環３２に連結されてもよく、３個以上の第２の連結環３２に連結されてもよい。第４の連結環３４は、第３の連結環３３に連結されるとともに、ショルダーベルト４に連結される。図１に示されるように、第４の連結環３４は、アルファベットの「Ｄ」の形状に形成されている。なお、これら第１の連結環３１、第２の連結環３２、第３の連結環３３および第４の連結環３４の材料には、例えば、ステンレス等の金属材料などが用いられる。
【００２０】
次に、消火器の構成について説明する。図２〜図４に示されるように、消火器は、消火剤ボトルＢと、ホース基部Ｈと、操作レバーＬと、メイン操作レバーＭＬと、ボトル首部Ｂｗと、差し込み式ロックピンＰとを備えている。なお、操作レバーＬ、メイン操作レバーＭＬおよび差し込み式ロックピンＰの組み合わせは、本発明のロックピン付き操作レバーに相当する。また、操作レバーＬおよびメイン操作レバーＭＬは、本発明の挟持レバーに相当する。
【００２１】
図２〜図４に示されるように、消火剤ボトルＢは、円筒形状に形成されている。ホース基部Ｈは、消火剤ボトルＢの一端部から延出するように設けられている。操作レバーＬおよびメイン操作レバーＭＬは、ホース基部Ｈの延出方向と略反対方向に沿って消火剤ボトルＢの一端部に設けられている。操作レバーＬおよびメイン操作レバーＭＬは、消火剤ボトルＢの中心軸から離れるに従って消火剤ボトルＢの中心軸方向で互いに離れて延在するように設けられている。図２〜図４に示されるように、ボトル首部Ｂｗは、消火剤ボトルＢの上端部に設けられている。ボトル首部Ｂｗは、消火剤ボトルＢ内に消火剤を封入するための蓋が設けられている。
【００２２】
差し込み式ロックピンＰは、操作レバーＬおよびメイン操作レバーＭＬの間に閂形成されている。また、差し込み式ロックピンＰは、図２に示されるように、操作レバーＬおよびメイン操作レバーＭＬのうちで消火ボトルＢの上端部からより遠くに離れたメイン操作レバーＭＬ側から消火剤ボトルＢの上端部側へ向けて、操作レバーＬおよびメイン操作レバーＭＬの双方に差し込まれる。差し込み式ロックピンＰのうち、消火ボトルＢの上端部からより遠くに離れたメイン操作レバーＭＬ側の端部にピン孔を有したピン操作部が、形成されている。以上、消火器の構成について説明した。
【００２３】
次に、本発明の第１の実施の形態における消火器運搬具の具体的な構成について、説明する。図２〜図４に示されるように、本発明の第１の実施の形態における消火器運搬具は、一対の係止フック１１と、アーム２１と、支持部２２と、取り付け環部２３を備えている。
【００２４】
図２〜図４に示されるように、一対の係止フック１１は、ホース基部Ｈおよび操作レバーＬの各々に係止可能に設けられている。図２〜図４では、消火剤ボトルＢの下端部を鉛直下方に向けるとともに、一対の係止フック１１の各々がホース基部Ｈおよび操作レバーＬの各々に係止された状態である支持状態を示している。なお、図２には、一対の係止フック１１の間の距離１１ｗを示している。一対の係止フック１１の各々は、返し片１２を有する。返し片１２は、上記支持状態で、一対の係止フック１１のうち、操作レバーＬまたはホース基部Ｈと当接する部分であるフック部から鉛直方向Ｇ上方へ伸長するように形成されている。なお、図１および図２には、操作レバーＬに係止する側の返し片１２の長さ１Ａと、ホース基部Ｈに係止する側の返し片１２の長さ１Ｂを示している。また、図２および図４には、鉛直方向Ｇに対して略垂直方向における返し片１２間の距離１２ｗを示している。
【００２５】
図２〜図４に示されるように、アーム２１は、一対の係止フック１１の間に一対の係止フック１１の各々から延出するように形成された延出形成部分を有し、一対の係止フック１１の各々を連結する。支持部２２は、アーム２１の延出形成部分に取り付けられ、アーム２１を吊支持する。なお、支持部２２を支持構造と呼ぶこともある。なお、図２には、支持部２２と一対の係止フック１１との間の鉛直方向Ｇにおける距離２１ｈを示している。取り付け環部２３は、支持部２２の略中央部に環状に設けられている。この取り付け環部２３には、連結部３が連結される。
【００２６】
ここで、図２〜図４に示されるように、上記支持状態において、アーム２１の延出形成部分は、ロックピンＰおよび操作レバーＬ、ＭＬのいずれよりも鉛直上方に張り出すように形成されている。併せて、支持部２２は、ロックピンＰおよび操作レバーＬ、ＭＬの双方よりも鉛直方向Ｇ上方の位置に配置されている。このように、アーム２１がロックピンＰおよび操作レバーＬ、ＭＬよりも張り出すため、上記支持状態において、アーム２１やロックピンＰの誤操作を起こしにくくすることができる。また、支持部２２がロックピンＰおよび操作レバーＬ、ＭＬの双方よりも鉛直上方の位置に配置されているため、消火器を安定して吊り下げた状態で支持できるだけでなく、上記支持状態にする操作や上記支持状態を解除する操作によっても誤操作を起こしにくくすることができる。
【００２７】
また、図２〜図４に示されるように、上記支持状態において、アーム２１の延出形成部分は、鉛直方向に対して略垂直方向において、ロックピンＰの閂形成部分およびピン操作部のピン孔のいずれよりも外側方に張り出すように形成されている。このように、アーム２１がロックピンＰの閂形成部分およびピン操作部のピン孔のいずれよりも外側方に張り出すため、上記支持状態で、アーム２１やピンの外部接触を防ぎ、ピンロック解除の誤操作を起こしにくくすることができる。
【００２８】
また、図２に示されるように、操作レバーＬを係止する係止フック１１側の返し片１２の伸長部分は、鉛直方向Ｇに対して略垂直方向から視た際に、上記支持状態で、操作レバーＬ、ＭＬのうちで消火ボトルＢの上端部からより遠くに離れている。すなわち、図２に示されるように、返し片１２の先端部は、操作レバーＬに係止する側の返し片１２の長さ１Ａの分だけ、鉛直方向Ｇ上方に伸長されている。これにより、返し片１２の伸長部分が、メイン操作レバーＭＬの操作を抑止するようにガードするため、メイン操作レバーＭＬの誤操作の誘発を抑制できる。また、返し片１２の伸長部分がメイン操作レバーＭＬと重なる高さまで伸長するように形成されているので、操作レバーＬ、ＭＬが係止フック１１から外れるのを抑止できる。この結果、消火器が消火器搬送具から外れて落下してしまうことを抑止できる。
【００２９】
また、図２〜図４に示されるように、上記支持状態において、ボトル首部Ｂｗは、鉛直方向Ｇに対して略垂直方向において、２本の係止フック１１よりも内側に配置される。すなわち、一対の係止フック１１の間の距離１１ｗは、ボトル首部Ｂｗの径よりも大きく設定されている。併せて、支持部２２は、鉛直方向Ｇに対して略垂直方向において、ボトル首部Ｂｗよりも内側に配置されている。これにより、消火剤ボトルＢ内の消火剤の収容状態にかかわらず、消火器の重心が２本の係止フック１１よりも内側に設定される。この結果、消火器が消火器搬送具から外れて落下してしまうことを抑止できる。
【００３０】
また、図２〜図４に示されるように、２つの返し片１２の伸長先である先端部間の長さ１２ｗは、鉛直方向に対して略垂直方向において、ボトル首部Ｂｗの径よりも大きい。これにより、バランスよく消火器を保持することができる。
【００３１】
以上の通り、本発明の第１の実施の形態における消火器運搬具は、消火剤ボトルＢの一端部から延出するように設けられたホース基部Ｈと、ホース基部Ｈの延出方向と略反対方向に沿って消火剤ボトルＢの一端部に設けられたロックピン付き操作レバー（操作レバーＬ、メイン操作レバーＭＬを含む）とを有する消火器を運搬するための運搬具である。消火器運搬具は、一対の係止フック１１と、アーム１２と、支持部２２とを備えている。一対の係止フック１１は、ホース基部Ｈおよび操作レバーＬの各々に係止可能に設けられている。アーム１２は、一対の係止フック１１の間に一対の係止フック１１の各々から延出するように形成された延出形成部分を有し、一対の係止フック１１の各々を連結する。支持部２２は、アーム２１の延出形成部分に取り付けられ、アーム２１を吊支持する。そして、消火剤ボトルＢの他端部を鉛直下方に向けるとともに、一対の係止フック１１の各々がホース基部Ｈおよび操作レバーＬの各々に係止された状態である支持状態で、アーム２１の延出形成部分は、ロックピンＰおよび操作レバーＬ、ＭＬのいずれよりも鉛直上方に張り出すように形成されるとともに、支持部２２は、ロックピンＰおよび操作レバーＬ、ＭＬの双方よりも鉛直上方の位置に配置されている。
【００３２】
このように、本発明の第１の実施の形態における消火器運搬具では、一対の係止フック１１が、消火器のホース基部Ｈおよび操作レバーＬの各々に係止することができる。このため、消火器を簡単に取り付けることができ、消火器を簡単に運搬することができる。したがって、特許文献１に記載の技術のように、消火器を台車に固定するために、消火器固定用ベルトで消火器を背板に固定する作業に手間がかかるという問題や、階段などの段差を簡単に乗り越えることができないという問題は、生じない。
【００３３】
また、上記支持状態において、アーム２１の延出形成部分は、ロックピンＰおよび操作レバーＬ、ＭＬのいずれよりも鉛直上方に張り出すように形成されている。併せて、支持部２２は、ロックピンＰおよび操作レバーＬ、ＭＬの双方よりも鉛直上方の位置に配置されている。このように、アーム２１がロックピンＰおよび操作レバーＬ、ＭＬよりも張り出すため、上記支持状態において、アーム２１やロックピンＰの誤操作を起こしにくくすることができる。また、支持部２２がロックピンＰおよび操作レバーＬ、ＭＬの双方よりも鉛直上方の位置に配置されているため、消火器を安定して吊り下げた状態で支持できるだけでなく、上記支持状態にする操作や上記支持状態を解除する操作によっても誤操作を起こしにくくすることができる。
【００３４】
また、本発明の第１の実施の形態における消火器運搬具において、ロックピン付き操作レバーは、２本の挟持レバー（操作レバーＬ、メイン操作レバーＭＬ）と、ロックピンＰと、ピン操作部を有する。２本の挟持レバーは、消火剤ボトルＢの中心軸から離れるに従って消火剤ボトルＢの中心軸方向で互いに離れて延在するように設けられている。ロックピンＰは、２本の挟持レバーの間に閂形成され、２本の挟持レバーのうちで消火ボトルＢの端部からより遠くに離れた挟持レバー側から消火剤ボトルＢの端部側へ向けて、２本の挟持レバーの双方に差し込まれる。ピン操作部は、ロックピンＰのうち、消火ボトルＢの端部からより遠くに離れた挟持レバー側の端部にピン孔を有する。そして、上記支持状態で、アーム２１の延出形成部分は、鉛直方向Ｇに対して略垂直方向において、ロックピンＰの閂形成部分およびピン操作部のピン孔のいずれよりも外側方に張り出すように形成されている。このように、アーム２１がロックピンＰの閂形成部分およびピン操作部のピン孔のいずれよりも外側方に張り出すため、上記支持状態で、アーム２１やピンの外部接触を防ぎ、ピンロック解除の誤操作を起こしにくくすることができる。
【００３５】
また、本発明の第１の実施の形態における消火器運搬具において、２本の係止フック１１のうち、操作レバーＬを係止する係止フック１１は、上記支持状態で、操作レバーＬと当接する部分であるフック部から鉛直上方方向へ伸長する返し片１２を有する。そして、返し片１２の伸長部分は、鉛直方向Ｇに対して略垂直方向から視た際に、上記支持状態で、２本の挟持レバー（操作レバーＬ、メイン操作レバーＭＬ）のうちで消火ボトルＢの端部からより遠くに離れた挟持レバー（メイン操作レバーＭＬ）と重なる高さまで伸長するように形成されている。これにより、返し片１２の伸長部分が、メイン操作レバーＭＬの操作を抑止するようにガードするため、メイン操作レバーＭＬの誤操作の誘発を抑制できる。また、返し片１２の伸長部分がメイン操作レバーＭＬと重なる高さまで伸長するように形成されているので、操作レバーＬ、ＭＬが係止フック１１から外れるのを抑止できる。この結果、消火器が消火器搬送具から外れて落下してしまうことを抑止できる。
【００３６】
また、本発明の第１の実施の形態における消火器運搬具において、上記支持状態で、消火剤ボトルＢの一端部に設けられ、消火剤ボトルＢ内に消火剤を封入するための蓋が設けられたボトル首部Ｂｗは、鉛直方向Ｇに対して略垂直方向において、２本の係止フック１１よりも内側に配置されている。これとともに、支持部２２は、鉛直方向Ｇに対して略垂直方向において、ボトル首部Ｂｗよりも内側に配置されている。これにより、消火剤ボトルＢ内の消火剤の収容状態にかかわらず、消火器の重心が２本の係止フック１１よりも内側に設定される。この結果、消火器が消火器搬送具から外れて落下してしまうことを抑止できる。
【００３７】
また、本発明の第１の実施の形態における消火器運搬具において、２本の係止フック１１の双方は、上記支持状態で、操作レバーＬまたはホース基部Ｈと当接する部分であるフック部から鉛直上方方向へ伸長する返し片１２をそれぞれ有する。また、返し片１２の伸長先である先端部間の長さ１２ｗは、鉛直方向Ｇに対して略垂直方向において、ボトル首部Ｂｗの径よりも大きい。これにより、バランスよく消火器を保持することができる。
【００３８】
また、本発明の第１の実施の形態における消火器運搬具は、支持部２２の略中央部に環状に設けられた取り付け環部２３を備えている。この取り付け環部２３には、連結部３を取り付けることができる。これにより、取り付け環部２３および連結部３を介して、ショルダーベルト４と消火器運搬具を連結することができる。
【００３９】
＜第２の実施の形態＞
本発明の第２の実施の形態における消火器運搬具の構成を図に基づいて説明する。図５は、本発明の第２の実施の形態における消火器運搬具の正面図である。
【００４０】
ここで、図１および図２に示された消火器運搬具と、図５に示された消火器運搬具とを対比する。図１および図２では、アーム２１のうち係止フック１１に連結される両端部側は、互いに平行に配置されていない。これに対して、図５では、アーム２１のうち係止フック１１に連結される両端部側は、互いに略平行に配置されている。この点で、両者は互いに相違する。また、図５では、止め具１３が、返し片１２の伸長先の先端部に設けられているが、図１および図２では、止め具１３は設けられていない。この止め具１３は、操作レバーＬおよびホース基部Ｈが係止フック１１から外れることを抑制するために、設けられている。図５には、一対の係止フック１１の間の距離１１ｗを示している。また、図５には、一対の返し片２の先端部の止め具１３の間の距離１２ｗを示している。さらに、図５には、支持部２２と一対の係止フック１１との間の鉛直方向Ｇにおける距離２１ｈを示している。
【００４１】
次に、図１および図２に示された連結部３と、図５に示された連結部３を対比する。図１および図２では、連結部３は、第１の連結環３１と、第２の連結環３２と、第３の連結環３３と、第４の連結環３４とを有していた。これに対して、図５では、連結部３は、第５の連結環３５と、第６の連結環３７と、接続部３６を備えている。接続部３６は、第５の連結環３５および第６の連結環３７を接続する。これらの点で、両者は互いに相違する。
【００４２】
以上の通り、本発明の第２の実施の形態における消火器運搬具は、止め具１３を備えている。この止め具１３は、返し片１２の伸長先の先端部に設けられている。これにより、操作レバーＬおよびホース基部Ｈが係止フック１１から外れることを抑制されるため、消火器が消火器搬送具から外れて落下してしまうことを抑止できる。
【００４３】
また、本発明の第２の実施の形態における消火器運搬具において、アーム２１のうち係止フック１１に連結される両端部側は、互いに平行に配置されている。これにより、アーム２１に囲われた領域を広く確保することができる。これにより、バランスよく消火器を保持することができる。
【００４４】
＜第３の実施の形態＞
本発明の第３の実施の形態における消火器運搬具の構成を図に基づいて説明する。図６は、本発明の第３の実施の形態における消火器運搬具の正面図である。
【００４５】
ここで、図１および図２に示された消火器運搬具と、図６に示された消火器運搬具とを対比する。図１および図２では、アーム２１のうち係止フック１１に連結される両端部側は、互いに平行に配置されていない。これに対して、図６では、アーム２１のうち係止フック１１に連結される両端部側は、互いに略平行に配置されている。この点で、両者は互いに相違する。また、図６では、アーム２１の中央部が、アーム２１のうち係止フック１１に連結される両端部側に対して、略垂直な直線状に形成されている点で、図１および図２と相違する。また、図６では、係止フック１１の幅（１１２ｗ−１１１ｗ）が、図１および図２の係止フック１１の幅よりも大きい。このように、係止フック１１の幅を大きくすることにより、係止フック１１が消火器のホース基部Ｈおよび操作レバーＬに確実に安定して係止することができる。なお、図６には、一対の返し片２の先端部の止め具１３の間の距離１２ｗを示している。さらに、図６には、支持部２２と一対の係止フック１１との間の鉛直方向Ｇにおける距離２１ｈを示している。
【００４６】
次に、図１および図２に示された連結部３と、図６に示された連結部３を対比する。図１および図２では、連結部３は、第１の連結環３１と、第２の連結環３２と、第３の連結環３３と、第４の連結環３４とを有していた。これに対して、図６では、連結部３は、第５の連結環３５と、第６の連結環３７と、接続部３６を備えている。接続部３６は、第５の連結環３５および第６の連結環３７を接続する。これらの点で、両者は互いに相違する。
【００４７】
以上の通り、本発明の第３の実施の形態における消火器運搬具において、アーム２１のうち係止フック１１に連結される両端部側は、互いに平行に配置されている。これにより、アーム２１に囲われた領域を広く確保することができる。これにより、バランスよく消火器を保持することができる。
【００４８】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００４９】
１１    係止フック
１２    返し片
１３    止め具
２１    アーム
２２    支持部
２３    取り付け環部
３    連結部
３１    第１の連結環
３２    第２の連結環
３３    第３の連結環
３４    第４の連結環
４    ショルダーベルト
４２    肩当て
Ｂ    消火剤ボトル
Ｂｗ    ボトル首部
Ｈ    ホース基部
Ｐ    差し込み式ロックピン
Ｌ    操作レバー
ＭＬ    操作レバー
【図１】
2014233455.tif 000003
【図２】
2014233455.tif 000004
【図３】
2014233455.tif 000005
【図４】
2014233455.tif 000006
【図５】
2014233455.tif 000007
【図６】
2014233455.tif 000008